(57)【要約】【課題】ケーブルの導電芯線のコンタクトに対する接続が、半田付け手法が用いられることなく、比較的簡単な作業により極めて確実かつ堅固に行われることになるケーブルコネクタ及びケーブル接続方法を提供する。【解決手段】ケーブル１４の導電芯線１９が接続されるケーブルコネクタのコンタクト１６が、基準面部２７，基準面２６に交差する方向に伸びる交差部２８及び基準面２６に対して傾斜して伸びる傾斜部２９を、傾斜部が交差部に連なり、交差部もしくは傾斜部が基準面部に連なるものとして有し、交差部と傾斜部との両者に亙る部分に、溝部３０を形成する相互対向屈曲部３１が設けられ、相互対向屈曲部が、溝部にケーブルの導電芯線が挿入されたもとで、交差部及び傾斜部を夫々成す二箇所において導電芯線に対するかしめ接続状態をとるべく相互に近接する方向に変位する変形を生じるものとされる。【選択図】図１
2008269840.tif 000002
【特許請求の範囲】
【請求項１】
絶縁ハウジングと、
導電部材で形成されて上記絶縁ハウジングに設けられ、ケーブルの導電芯線との接続状態をとるコンタクトと、
を備えて構成され、
上記コンタクトが、導電性帯状板材が屈曲されて形成され、所定の基準面内に配される基準面部，上記基準面に交差する方向に伸びる交差部及び上記基準面に対して傾斜して伸びる傾斜部を、該傾斜部が上記交差部に対する屈曲部分として該交差部に連なり、上記交差部もしくは上記傾斜部が上記基準面部に連なるものとして有し、上記交差部と上記傾斜部との両者に亙る部分に、ケーブルの導電芯線が挿入される溝部を形成する一対の相互対向屈曲部が設けられ、該相互対向屈曲部が、上記溝部にケーブルの導電芯線が挿入されたもとで、上記交差部を成す部分と上記傾斜部を成す部分との二箇所において上記導電芯線に対するかしめ接続状態をとるべく相互に近接する方向に変位する変形を生じるものとされること、を特徴とするケーブルコネクタ。
【請求項２】
上記コンタクトの複数個が上記絶縁ハウジングに配列配置されることを特徴とする請求項１記載のケーブルコネクタ。
【請求項３】
上記傾斜部が上記基準面部に対する折返し部分として該基準面部に連なり、上記交差部が上記傾斜部の一端から上記基準面に向かって伸びることを特徴とする請求項１記載のケーブルコネクタ。
【請求項４】
上記交差部が上記基準面に対して実質的に直交することを特徴とする請求項３記載のケーブルコネクタ。
【請求項５】
上記交差部が上記基準面部に対する屈曲部分として該基準面部に連なり、上記傾斜部が上記基準面部に向かう方向に伸び、該傾斜部の一端が上記基準面部に近接もしくは当接することを特徴とする請求項１記載のケーブルコネクタ。
【請求項６】
上記交差部が上記基準面に対して実質的に直交することを特徴とする請求項５記載のケーブルコネクタ。
【請求項７】
上記交差部が上記基準面部に対する屈曲部分として該基準面部に連なり、上記傾斜部が上記基準面部から離隔する方向に伸び、該傾斜部の一端に上記基準面内に配される屈曲平面部が設けられることを特徴とする請求項１記載のケーブルコネクタ。
【請求項８】
上記交差部が上記基準面に対して実質的に直交することを特徴とする請求項７記載のケーブルコネクタ。
【請求項９】
上記屈曲平面部が上記基準面部から離隔する方向に伸びることを特徴とする請求項７記載のケーブルコネクタ。
【請求項１０】
上記屈曲平面部が上記基準面部に向かう方向に伸びることを特徴とする請求項７記載のケーブルコネクタ。
【請求項１１】
上記傾斜部が上記基準面部に対する屈曲部分として該基準面部に連なって上記基準面部から離隔する方向に伸び、上記交差部が上記傾斜部の一端から上記基準面に向かって伸び、該交差部の一端に上記基準面内に配される屈曲平面部が設けられることを特徴とする請求項１記載のケーブルコネクタ。
【請求項１２】
上記交差部が上記基準面に対して実質的に直交することを特徴とする請求項１１記載のケーブルコネクタ。
【請求項１３】
上記屈曲平面部が上記基準面部から離隔する方向に伸びることを特徴とする請求項１１記載のケーブルコネクタ。
【請求項１４】
上記屈曲平面部が上記基準面部に向かう方向に伸びることを特徴とする請求項１１記載のケーブルコネクタ。
【請求項１５】
ケーブルコネクタの絶縁ハウジングに設けられた、導電性帯状板材が屈曲されて形成され、所定の基準面内に配される基準面部，上記基準面に交差する方向に伸びる交差部及び上記基準面に対して傾斜して伸びる傾斜部を、該傾斜部が上記交差部に対する屈曲部分として該交差部に連なり、上記交差部もしくは上記傾斜部が上記基準面部に連なるものとして有し、上記交差部と上記傾斜部との両者に亙る部分に溝部を形成する一対の相互対向屈曲部が設けられたコンタクトにおける上記溝部に、ケーブルの導電芯線を配し、
上記コンタクトにおける一対の相互対向屈曲部の夫々に、上記基準面に対して傾斜角をなす方向の押圧力を作用させることにより、上記相互対向屈曲部に相互に近接する方向に変位する変形を生じさせて、該相互対向屈曲部に、上記交差部を成す部分と上記傾斜部を成す部分との二箇所において、上記溝部に配されたケーブルの導電芯線に対するかしめ接続状態をとらせること、を特徴とするケーブル接続方法。
【請求項１６】
上記コンタクトにおける一対の相互対向屈曲部の夫々に作用させる上記基準面に対して傾斜角をなす方向の押圧力を、上記相互対向屈曲部に係合して上記基準面に向かう方向に移動する押圧手段を用いて生じさせることを特徴とする請求項１５記載のケーブル接続方法。
【請求項１７】
上記押圧手段として、該押圧手段の上記相互対向屈曲部に係合する部分が、上記基準面に対する傾斜角をなす方向に直交する面を形成する傾斜面部とされたものを用いることを特徴とする請求項１５記載のケーブル接続方法。
【発明の詳細な説明】
【技術分野】
【０００１】
本願の特許請求の範囲に記載された発明は、導電芯線とそれを被覆する絶縁体とを備えて成るケーブルの導電芯線が接続されるコンタクトを備えたケーブルコネクタ、及び、ケーブルの導電芯線をケーブルコネクタに設けられたコンタクトに接続された状態となすケーブル接続方法に関する。
【背景技術】
【０００２】
複数の電気部品，電気装置あるいは電子機器間における信号等の伝送を、導電芯線とそれを絶縁体を介して包囲する接地導体とが絶縁被覆されて成る同軸ケーブル等の、導電芯線とそれを被覆する絶縁体とを備えて成るケーブルを用いて行うべく、当該複数の電気部品，電気装置あるいは電子機器をケーブルを介して相互連結するにあたっては、ケーブルが電気的に接続されるケーブルコネクタが用いられることが多い。このようなケーブルコネクタは、ケーブルの導電芯線が接続される、導電材で形成されるコンタクトを備えたものとされる。
【０００３】
斯かるケーブルコネクタとして従来知られているものにあっては、それに対するケーブルの電気的接続が、半田付け手法が用いられて行われるのが一般的であった。即ち、ケーブルコネクタにケーブルが電気的に接続されるにあたり、ケーブルの導電芯線がケーブルコネクタが備える導電性を有したコンタクトに半田付けされるのである。
【０００４】
このように、ケーブルの導電芯線がコンタクトに半田付けされる半田付け手法がとられる際には、特に、ケーブルが極細なものとされ、それに応じてコンタクトが極小なものとされる場合、導電芯線をコンタクトに半田付けする作業が、細心の注意が要される煩わしいものとなるという問題、さらには、使用する半田やフラックスの量の制御が難しく、半田付けに伴う熱がケーブルに伝わって熱による不都合が生じる等の問題があった。そして、これらの問題があることにより、ケーブルが半田付けされた後のケーブルコネクタが、品質の安定性に欠けるものとなる虞があった。取り分け、径が極めて小とされる細線ケーブルの複数本が並行配列されて全体として板状を成す信号伝送用のケーブル集合体を、それに対応するケーブルコネクタに電気的に接続する場合には、こうした問題が顕著となる。
【０００５】
それゆえ、上述のような問題を回避すべく、ケーブルの電気的接続が半田付け手法を用いることなく行われるものとされるケーブルコネクタが望まれることとなる。このようなケーブルの電気的接続が半田付け手法を用いることなく行われるケーブルコネクタとして、ケーブルの導電芯線についての信号用コンタクトへの接続が、圧接あるいは圧入により行われるものが既に提案されている（例えば、特許文献１あるいは特許文献２参照。）。
【０００６】
これらの従来の提案に係るケーブルコネクタにあっては、それが備える配線板あるいはハウジングにより支持された、導電材で成る接続端子あるいは端子ユニット（コンタクト）が、スリットが形成された導線圧接部あるいは導線圧入部が設けられたものとされる。そして、ケーブルの電気的接続がなされる際には、ケーブルの導電芯線が、それを被覆する絶縁体が部分的に剥ぎ取られて外部に露出するものとされて、接続端子あるいは端子ユニットに設けられた導線圧接部あるいは導線圧入部におけるスリットに押し込まれることにより、導線圧接部あるいは導線圧入部に対して圧接あるいは圧入される。それにより、ケーブルの導電芯線が接続端子あるいは端子ユニットに圧接接続あるいは圧入接続されて、ケーブルのケーブルコネクタに対する電気的接続が、半田付け手法によることなく行われる。
【０００７】
また、従来にあっては、信号伝送用のケーブルを、半田付け手法を用いることなく、ケーブルコネクタに電気的接続がなされた状態とすべく、ケーブルコネクタに備えられてケーブルの導電芯線が接続されるコンタクトに、所定の変形を生じさせるケーブル接続方法も提案されている（例えば、特許文献３参照。）。
【０００８】
このような従来の提案に係るケーブル接続方法が実施されるもとにあっては、ケーブルとの接続がなされるコネクタ装置（ケーブルコネクタ）において、そのハウジング等の支持部に立設されるコンタクト部材（コンタクト）が、先端部に一対の分岐部が形成されたものとされる。そして、コネクタ装置に対するケーブルの電気的接続がなされる際には、先ず、ケーブルの導電芯線が、それを被覆する絶縁体が部分的に剥ぎ取られて外部に露出するものとされて、コンタクト部材の先端部に形成された一対の分岐部によって挟まれる状態におかれる。次に、ケーブルの導電芯線を挟んだ一対の分岐部が、夫々に外力が加えられて、互いに近接し合う方向に変位する変形を生じるものとされる。それにより、斯かるコンタクト部材における一対の分岐部の変形が適正に行われると、ケーブルの導電芯線が、一対の分岐部によって堅固に挟持されて、コンタクト部材に電気的に接続されることになり、ケーブルのコネクタ装置に対する電気的接続が、半田付け手法によることなく行われる。
【０００９】
【特許文献１】特開平１０−２８４１４７号公報（第３〜５頁及び第１〜３図）
【特許文献２】特開２００１−２４４０１５号公報（第３〜４頁及び第１，２図）
【特許文献３】特開２００７−４８５４４号公報（第６〜８頁及び第２〜７図）
【発明の開示】
【発明が解決しようとする課題】
【００１０】
上述の特許文献１あるいは特許文献２に開示されているような、信号伝送用のケーブルの導電芯線についてのケーブルコネクタが備える導電性を有したコンタクトへの接続が、圧接あるいは圧入により行われるケーブルコネクタにあっては、ケーブルの導電芯線のコネクタに対する接続が、導電芯線がコンタクトに形成されたスリットに押し込まれて圧接される、あるいは、コンタクトに設けられたスリットに圧入されることにより行われる。このように、導電芯線のコンタクトに対する接続が、コンタクトに形成されたスリットに対する圧接あるいは圧入のみにより行われる場合には、導電芯線のコンタクトに対する接続が、確実性に欠けるものとなるという問題を伴う。
【００１１】
例えば、導電芯線がコンタクトに形成されたスリットに十分に押し込まれずにスリットから浮き上がり、導電芯線のコンタクトに対する圧接あるいは圧入が確実になされない事態、あるいは、導電芯線がコンタクトに形成されたスリットに過度に押し込まれて切断されてしまい、導電芯線のコンタクトに対する圧接あるいは圧入が確実になされない事態等々が生じてしまう虞がある。特に、導電芯線の径が０．１ｍｍ以下とされる極細なケーブルの接続に際しては、ケーブルの切断が生じる虞が大きい。
【００１２】
さらに、前述のような複数の細線ケーブルが並行配列されて成るケーブル集合体に対応するものとされるケーブルコネクタの場合には、複数のコンタクトが狭ピッチをもって配列配置されて設けられるが、そうしたもとで、複数の細線ケーブルの各々の導電芯線についての、複数のコンタクトのうちの対応するものに形成されたスリットへの圧接あるいは圧入を行うことは、相当の困難を伴うことになる。
【００１３】
また、上述の特許文献３に開示されているような、ケーブルの導電芯線をコンタクトの先端部に形成された一対の分岐部によって挟まれる状態においた後、ケーブルの導電芯線を挟んだ一対の分岐部に、互いに近接し合う方向に変位する変形を生じさせて、ケーブルの導電芯線を挟持させることにより、ケーブルの導電芯線をコンタクトに接続するケーブル接続方法が実施される場合にも、次のような不都合がある。
【００１４】
即ち、斯かるケーブル接続方法が実施される場合には、ケーブルコネクタにおけるハウジング等の支持部に立設されるコンタクトが、板状部材の一端部によって構成され、その先端部に一対の分岐部が形成されたものとされる。そして、この板状部材の板厚を大とすることにはコンタクトの寸法に伴う限界があり、コンタクトを構成する板状部材の板厚は、比較的小とせざるを得ないものとされる。そのため、ケーブルの導電芯線を挟んだ一対の分岐部に、互いに近接し合う方向に変位する変形を生じさせるべく加えられる外力の作用方向が多少ずれただけでも、それに対してのコンタクトの強度が不足し、コンタクトが、支持部に対して適正に立設する状態から倒れた状態とされてしまい、一対の分岐部によるケーブルの導電芯線の挟持が適正になされなくなるという問題が生じる虞がある。
【００１５】
また、一対の分岐部によるケーブルの導電芯線の挟持が適正になされるとしても、コンタクトを構成する板状部材の板厚が比較的小とせざるを得ないものとされることにより、一対の分岐部がケーブルの導電芯線を挟持することにより生じる、コンタクトによるケーブルの導電芯線に対する保持力が充分に得られず、ケーブルの導電芯線が堅固に保持された状態におかれなくなるという問題が生じる虞もある。
【００１６】
斯かる点に鑑み、本願の特許請求の範囲に記載された発明は、導電性を有したコンタクトに対する、例えば、同軸ケーブル等とされるケーブルの導電芯線の接続が、半田付け手法が用いられることなく、比較的容易な作業によって適正かつ確実に行われ、しかも、導電芯線がコンタクトにより極めて堅固に保持される状態が得られることになるケーブルコネクタ、及び、例えば、同軸ケーブル等とされる導電芯線を有したケーブルを、導電性を有したコンタクトを備えるケーブルコネクタに電気的に接続するにあたり、ケーブルコネクタにおけるコンタクトに対するケーブルの導電芯線の接続を、半田付け手法を用いることなく、比較的容易な作業によって適正かつ確実に行なうことができ、しかも、導電芯線がコンタクトにより極めて堅固に保持される状態を得ることができるケーブル接続方法を提供する。
【課題を解決するための手段】
【００１７】
本願の特許請求の範囲における請求項１から請求項１４までのいずれかに記載された発明に係るケーブルコネクタ（以下、本発明に係るケーブルコネクタという。）は、絶縁ハウジングと、導電部材で形成されて絶縁ハウジングに設けられ、ケーブルの導電芯線との接続状態をとるコンタクトと、を備えて構成され、コンタクトが、導電性帯状板材が屈曲されて形成され、所定の基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有し、交差部と傾斜部との両者に亙る部分に、ケーブルの導電芯線が挿入される溝部を形成する一対の相互対向屈曲部が設けられ、相互対向屈曲部が、溝部にケーブルの導電芯線が挿入されたもとで、交差部を成す部分と傾斜部を成す部分との二箇所において導電芯線に対するかしめ接続状態をとるべく相互に近接する方向に変位する変形を生じるものとされること、を特徴とするものとされる。
【００１８】
また、本願の特許請求の範囲における請求項１５から請求項１７までのいずれかに記載された発明に係るケーブル接続方法（以下、本発明に係るケーブル接続方法という。）は、ケーブルコネクタの絶縁ハウジングに設けられた、導電性帯状板材が屈曲されて形成され、所定の基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有し、交差部と傾斜部との両者に亙る部分に溝部を形成する一対の相互対向屈曲部が設けられたコンタクトにおける溝部に、ケーブルの導電芯線を配し、コンタクトにおける一対の相互対向屈曲部の夫々に、基準面に対して傾斜角をなす方向の押圧力を作用させることにより、相互対向屈曲部に相互に近接する方向に変位する変形を生じさせて、その相互対向屈曲部に、交差部を成す部分と傾斜部を成す部分との二箇所において、溝部に配されたケーブルの導電芯線に対するかしめ接続状態をとらせること、を特徴とするものとされる。
【００１９】
上述の本発明に係るケーブルコネクタにあっては、絶縁ハウジングに設けられるコンタクトが、導電性帯状板材が屈曲されて形成され、所定の基準面内に配される基準面部，基準面に交差する方向に伸びる交差部及び基準面に対して傾斜して伸びる傾斜部を有するものとされる。傾斜部は、交差部に対する屈曲部分として交差部に連なるものとして形成され、また、交差部もしくは傾斜部が、基準面部に連なるものとして形成される。そして、交差部と傾斜部との両者に亙る部分には、ケーブルの導電芯線が挿入される溝部を形成する一対の相互対向屈曲部が設けられる。このようなもとで、一対の相互対向屈曲部が、それらの間に形成された溝部にケーブルの導電芯線が挿入されたもとで、交差部を成す部分と傾斜部を成す部分との二箇所において導電芯線に対するかしめ接続状態をとるべく相互に近接する方向に変位する変形を生じるものとされる。
【００２０】
また、上述の本発明に係るケーブル接続方法にあっては、ケーブルコネクタの絶縁ハウジングに、導電性帯状板材が屈曲されて形成され、所定の基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有し、交差部と傾斜部との両者に亙る部分に溝部を形成する一対の相互対向屈曲部が設けられたコンタクトが設けられたもとにおいて、先ず、ケーブルの導電芯線を、コンタクトにおける交差部と傾斜部との両者に亙る部分に設けられた一対の相互対向屈曲部がそれらの間に形成する溝部に配する。次に、コンタクトにおける一対の相互対向屈曲部の夫々に、基準面に対して傾斜角をなす方向の押圧力を作用させることにより、相互に近接する方向に変位する変形を生じさせて、その相互対向屈曲部に、交差部を成す部分と傾斜部を成す部分との二箇所において、溝部に配されたケーブルの導電芯線に対するかしめ接続状態をとらせる。
【発明の効果】
【００２１】
このような本発明に係るケーブルコネクタあるいは本発明に係るケーブル接続方法によれば、例えば、同軸ケーブル等とされるケーブルをケーブルコネクタに電気的に接続するにあたり、ケーブルの導電芯線についてのケーブルコネクタに備えられた導電性を有するコンタクトへの接続を、導電性帯状板材が屈曲されて形成され、基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有したコンタクトにおける、交差部と傾斜部との両者に亙る部分に設けられた溝部を形成する一対の相互対向屈曲部に、それらの間に形成された溝部に挿入されたケーブルの導電芯線に対して、交差部を成す部分と傾斜部を成す部分との二箇所におけるかしめ接続状態をとるべく、相互に近接する方向に変位する変形を生じさせることにより行なうことができる。
【００２２】
このようにして、ケーブルコネクタにおけるコンタクトに設けられた一対の相互対向屈曲部は、それらの間に形成される溝部に挿入されたケーブルの導電芯線に対して、交差部を成す部分と傾斜部を成す部分との二箇所におけるかしめ接続状態をとるべく相互に近接する方向に変位する変形を生じるものとされるが、そのため、一対の相互対向屈曲部に相互に近接する方向に変位する変形を生じさせる外力が加えられる。その際、コンタクトが、基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するものとされていることにより、たとえ、交差部と傾斜部との両者に亙る部分に設けられた一対の相互対向屈曲部に加えられる外力の方向が多少ずれたとしても、それによってコンタクトに不所望な変位あるいは変形が生じてしまう事態が回避される。その結果、コンタクトに設けられた一対の相互対向屈曲部が、ケーブルの導電芯線を確実に挟持することになる。
【００２３】
しかも、コンタクトに設けられた一対の相互対向屈曲部によるケーブルの導電芯線に対する挟持は、コンタクトにおける交差部を成す部分とそれに連なる傾斜部を成す部分との二箇所において行われるので、極めて堅固に行われ、一対の相互対向屈曲部により挟持されたケーブルの導電芯線に、一対の相互対向屈曲部から離隔させようとする外力が作用しても、それにより一対の相互対向屈曲部が変位あるいは変形を生じてしまう虞やケーブルの導電芯線が一対の相互対向屈曲部から離脱してしまう虞が著しく低減される。
【００２４】
なお、本発明に係るケーブルコネクタあるいは本発明に係るケーブル接続方法を、従来知られている、コンタクトをケーブルの被覆絶縁材にその外側から突き刺して内部の導電芯線に接触させるケーブルコネクタあるいはケーブル接続方法と比較しても、本発明に係るケーブルコネクタあるいは本発明に係るケーブル接続方法にあっては、斯かる従来のケーブルコネクタあるいはケーブル接続方法においてみられる、被覆絶縁材内で導電芯線が偏芯していることにより、コンタクトが導電芯線に適正に接触しないという問題、あるいは、コンタクトが被覆絶縁材を充分に突き破ることができず、コンタクトが導電芯線に適正に接触しないという問題等が解消されるという利点が得られる。
【００２５】
従って、本発明に係るケーブルコネクタによれば、ケーブルコネクタに備えられたコンタクトに対するケーブルの導電芯線の接続が、半田付け手法が用いられることなく、比較的容易な作業によって適正かつ確実に行われ、しかも、導電芯線がコンタクトにより極めて堅固に保持される状態が得られることになる。また、本発明に係るケーブル接続方法によれば、導電芯線を有したケーブルをケーブルコネクタに電気的に接続するにあたり、ケーブルコネクタにおけるコンタクトに対するケーブルの導電芯線の接続を、半田付け手法を用いることなく、比較的容易な作業によって適正かつ確実に行なうことができ、しかも、導電芯線がコンタクトにより極めて堅固に保持される状態を得ることができる。
【発明を実施するための最良の形態】
【００２６】
本発明を実施するための最良の形態は、以下に述べられる本発明についての実施例をもって説明される。
【実施例】
【００２７】
本発明に係るケーブルコネクタの一例、及び、斯かるケーブルコネクタの一例が用いられて実施される、本発明に係るケーブル接続方法の一例が、図１から図１８が参照されて以下に説明される。
【００２８】
図２は、本発明に係るケーブルコネクタの一例に、複数のケーブルが電気的に接続された状態を示す。
【００２９】
図２に示されるように、本発明に係るケーブルコネクタの一例を成すケーブルコネクタ１０は、絶縁材で形成されたハウジングである絶縁ハウジング１１を有しており、絶縁ハウジング１１には、その内部を覆う導電性シェル１２が装着されている。導電性シェル１２には複数の透孔１３が形成されており、それらの透孔１３を通じて、絶縁ハウジング１１に設けられて、複数のケーブル１４及び１５の導電芯線が夫々接続される導電性を有した複数のコンタクトのうちのコンタクト１６の一部が覗かれている。
【００３０】
複数のケーブル１４及び１５は、互いに平行に配列配置されて、２枚の接着テープ１７に挟まれて固定されており、全体として板状体を成すケーブル群を形成している。複数のケーブル１４の夫々は、導電芯線とそれを絶縁材を介して包囲するシールド導体とが絶縁被覆されて成る同軸ケーブルとされており、また、複数のケーブル１５の夫々は、導電芯線が絶縁被覆されて成る単芯ケーブルとされている。
【００３１】
図３は、図２に示されるケーブルコネクタ１０について、複数のケーブル１４及び１５の導電芯線の複数のコンタクト１６への接続が完了していない段階にあり、それゆえ、導電性シェル１２が装着されていない状態を示す。
【００３２】
図３に示されるように、絶縁ハウジング１１には、その内部に、複数のコンタクト１６が、絶縁ハウジング１１の長手方向に沿って配列配置されて設けられており、さらに、それらに隣接するものとして、複数のコンタクト１８が、絶縁ハウジング１１の長手方向に沿って配列配置されて設けられている。図３における二点鎖線により囲まれた部分IVを拡大して図示する図４に明瞭に示されるように、複数のコンタクト１６のうちの配列方向に見て二つ置きのものを除いた残りのもの、即ち、相互隣接する二つずつの組を成す複数のコンタクト１６には、それらの一部を成す後述される一対の相互対向屈曲部３１に、複数のケーブル１４の導電芯線１９が夫々配されている。また、複数のコンタクト１６のうちの配列方向に見て二つ置きのものには、それらの一部を成す後述される一対の相互対向屈曲部３１に、後述される接地電極板２３から伸びる接地用端子２４が配されている。さらに、複数のコンタクト１８には、複数のケーブル１５の導電芯線２０が夫々圧接接続されている。
【００３３】
相互隣接する二つずつの組を成す複数のコンタクト１６の相互対向屈曲部に夫々配された複数のケーブル１４の夫々の導電芯線１９は、一連の接着テープ２１によって位置決めされる。また、複数のケーブル１４の夫々のシールド導体２２は、一連の細長い接地電極板２３に連結される。
【００３４】
複数のコンタクト１６の夫々は、図５に示されるように、例えば、燐青銅製の導電性帯状板材が屈曲されて形成され、絶縁ハウジング１１に差し込まれて固定される差込固定部２５，差込固定部２５から屈曲して伸びて仮想の基準面２６内に配される基準面部２７，基準面２６に対して、例えば、実質的に直交するものとなるように、基準面２６に交差する方向に伸びる交差部２８、及び、基準面２６に対して傾斜して伸びる傾斜部２９を有している。これらの、基準面部２７，交差部２８及び傾斜部２９は、図５に示されるコンタクト１６の一部を拡大して図示する図６に明瞭に示されるように、傾斜部２９が、基準面部２７に対する折返し部分として基準面部２７に連なるとともに、交差部２８に対する屈曲部分として交差部２８にも連なり、交差部２８が傾斜部２９の一端から基準面２６に向かって伸びるという関係のもとにおかれている。それにより、図６に示されるように、基準面部２７の一部，交差部２８及び傾斜部２９によって、断面形状が三角形状とされる筒状部が形成されている。
【００３５】
そして、交差部２８と傾斜部２９との両者に亙る部分に、ケーブル１４の導電芯線１９が挿入される溝部３０を形成する一対の相互対向屈曲部３１が設けられている。溝部３０の開口側部分は、一対の相互対向屈曲部３１の夫々の頂点側に向けて広がっていて、ケーブル１４の導電芯線１９の溝部３０への挿入を容易にしている。
【００３６】
また、複数のケーブル１４の夫々は、その一部分が図５に示されているように、導電芯線１９，導電芯線１９を包囲する内部絶縁材３３，内部絶縁材３３を包囲するシールド導体２２、及び、シールド導体２２を包囲して絶縁被覆する外部絶縁材３４によって構成されている。なお、複数のケーブル１５の夫々は、詳細図示が省略されているが、導電芯線２０と導電芯線２０を包囲して絶縁被覆する絶縁材とによって構成されている。
【００３７】
このようなもとで、複数のケーブル１４及び複数のケーブル１５をケーブルコネクタ１０に電気的に接続するにあたっては、先ず、図７に示されるように、複数のケーブル１４の夫々について、図５に示されるように露出せしめられた導電芯線１９を、ケーブルコネクタ１０の絶縁ハウジング１１に設けられた複数のコンタクト１６のうちの対応する一つにおける、一対の相互対向屈曲部３１がそれらの間に形成する溝部３０に配する。斯かる際、コンタクト１６は、それにおける差込固定部２５が絶縁ハウジング１１に差し込まれて固定され、それによって全体が絶縁ハウジング１１に固定された状態にある。
【００３８】
図８は、ケーブル１４の導電芯線１９が、コンタクト１６における一対の相互対向屈曲部３１が形成する溝部３０に配された状態を示す。また。図９及び図１０は、夫々、図８におけるＩＸ−ＩＸ断面図及びＸ−Ｘ断面図である。
【００３９】
コンタクト１６における一対の相互対向屈曲部３１が形成する溝部３０は、交差部２８と傾斜部２９との両者に亙るものとされるので、溝部３０に配されたケーブル１４の導電芯線１９は、図９及び図１０に示されるように、一対の相互対向屈曲部３１の夫々における交差部２８を成す部分と傾斜部２９を成す部分との二箇所に当接するものとされる。このようにケーブル１４の導電芯線１９がコンタクト１６における一対の相互対向屈曲部３１が形成する溝部３０に配される状態は、各々が２枚の接着テープ１７に挟まれて固定されるとともに、各々の導電芯線１９が一連の接着テープ２１によって位置決めされたものとされ、さらに、各々のシールド導体２２が一連の細長い接地電極板２３に連結される、複数のケーブル１４の全てについてとられ、それにより、複数のケーブル１４が、複数のコンタクト１６が設けられた絶縁ハウジング１１に対して図３及び図４に示される状態におかれる。
【００４０】
また、それとともに、複数のケーブル１５の夫々について、図３に示されるように露出せしめられた導電芯線２０を、ケーブルコネクタ１０の絶縁ハウジング１１に設けられた複数のコンタクト１８のうちの対応する一つに設けられた圧接係合部に係合させ、当該コンタクト１８に圧接接続する。斯かる際、コンタクト１８は、その全体が絶縁ハウジング１１に固定された状態にある。このようにケーブル１５の導電芯線２０がコンタクト１８における圧接係合部に係合せしめられる状態は、複数のケーブル１５の全てについてとられ、複数のケーブル１５が、複数のコンタクト１８が設けられた絶縁ハウジング１１に対して図３に示される状態におかれて、ケーブルコネクタ１０に電気的に接続される。
【００４１】
複数のケーブル１４の夫々の導電芯線１９が複数のコンタクト１６のうちの対応するものにおける一対の相互対向屈曲部３１が形成する溝部３０に配されて、図３及び図４に示される状態におかれたケーブルコネクタ１０及び複数のケーブル１４は、図１１に示されるように、それらから離隔した位置に、それらに向かう方向（以下、ａ方向という。）及びそれらから遠ざかる方向（以下、ｂ方向という。）に移動可能とされた押圧装置３５が備えられたものとされる。ａ方向は、複数のコンタクト１６の夫々における基準面部２７が配される仮想の基準面２６に実質的に直交して向かう方向とされ、また、ｂ方向は、ａ方向とは逆の方向とされる。
【００４２】
押圧装置３５には、ａ方向に移動したとき、複数のコンタクト１６の夫々に設けられた一対の相互対向屈曲部３１に夫々に当接するものとされた、各々がａ方向に対して傾斜した一対の傾斜面３６が、複数のコンタクト１６に夫々対応して複数対形成されている。斯かる一対の傾斜面３６は、コンタクト１６に設けられた一対の相互対向屈曲部３１に夫々当接するとき、押圧装置３５のａ方向の移動に伴って、一対の相互対向屈曲部３１の夫々に、ａ方向に対して傾斜角を成す方向、従って、コンタクト１６における基準面部２７が配される仮想の基準面２６に対して傾斜角をなす方向の押圧力を作用させ、それにより、当該一対の相互対向屈曲部３１の夫々に、相互に近接する方向に変位する変形を生じさせることができるものとされる。
【００４３】
次に、図１１に示されるように、図３及び図４に示される状態におかれたケーブルコネクタ１０及び複数のケーブル１４から離隔した位置に備えられた押圧装置３５をａ方向に移動させ、押圧装置３５に形成された複数対の傾斜面３６における各対を成す傾斜面３６を、複数のコンタクト１６のうちの対応するものに設けられた一対の相互対向屈曲部３１に夫々当接させる。続いて、各対を成す傾斜面３６が複数のコンタクト１６のうちの対応するものに設けられた一対の相互対向屈曲部３１に夫々当接するものとされた押圧装置３５を、さらにａ方向に移動させ、複数のコンタクト１６の夫々に設けられた一対の相互対向屈曲部３１の夫々に、コンタクト１６における基準面部２７が配される仮想の基準面２６に対して傾斜角をなす方向の押圧力を作用させて、図１２に示されるように、当該一対の相互対向屈曲部３１の夫々に、相互に近接する方向に変位する変形を生じさせる。それにより、相互に近接する方向に変位する変形を生じた一対の相互対向屈曲部３１に、それらの間に形成された溝部３０にケーブル１４の導電芯線１９が配されたものについては、各々における交差部２８を成す部分と傾斜部２９を成す部分との二箇所において、溝部３０に配された導電芯線１９に対するかしめ接続状態をとらせ、また、それらの間に形成された溝部３０に接地用端子２４が配されたものについては、各々における交差部２８を成す部分と傾斜部２９を成す部分との二箇所において、溝部３０に配された接地用端子２４に対するかしめ接続状態をとらせる。
【００４４】
このような、コンタクト１６に設けられた一対の相互対向屈曲部３１の夫々が、相互に近接する方向に変位する変形を生じて、交差部２８を成す部分と傾斜部２９を成す部分との二箇所において、一対の相互対向屈曲部３１の間に形成された溝部３０に配されたケーブル１４の導電芯線１９に対するかしめ接続状態をとるものとされる状態は、複数のケーブル１４の全てについてとられる。それにより、複数のケーブル１４の導電芯線１９が複数のコンタクト１６に夫々接続されて、複数のケーブル１４が複数のコンタクト１６が設けられた絶縁ハウジング１１を備えるケーブルコネクタ１０に電気的に接続される。また、同様にして、接地電極板２３から伸びる複数の接地用端子２４が複数のコンタクト１６が設けられた絶縁ハウジング１１を備えるケーブルコネクタ１０に電気的に接続される。
【００４５】
その後、押圧装置３５を、ｂ方向に移動させて、ケーブルコネクタ１０及び複数のケーブル１４から離隔した位置に戻す。
【００４６】
このようにして、複数のケーブル１４が複数のコンタクト１６が設けられた絶縁ハウジング１１を備えるケーブルコネクタ１０に電気的に接続されたもとにおいては、複数のコンタクト１６の各々は、図１に示されるように、押圧装置３５に形成された対を成す傾斜面３６による押圧力が加えられて、相互に近接する方向に変位する変形を生じた一対の相互対向屈曲部３１が、各々の溝部３０を形成する部分を相互当接させ、コンタクト１６における交差部２８を成す部分と傾斜部２９を成す部分との二箇所において、溝部３０に配されたケーブル１４の導電芯線１９をかしめて挟持するものとされる。そして、それにより、ケーブル１４の導電芯線１９がコンタクト１６に電気的に接続されることになる。
【００４７】
斯かる際、コンタクト１６における基準面部２７の一部，交差部２８及びそれに連なる傾斜部２９が、断面形状が三角形状とされる筒状部を形成するものとされており、また、一対の相互対向屈曲部３１が交差部２８及び傾斜部２９の両者に亙る部分に設けられていることにより、一対の相互対向屈曲部３１に押圧装置３５に形成された対を成す傾斜面３６による押圧力が加えられるとき、その押圧力の方向が多少ずれたとしても、それによってコンタクト１６に不所望な変位あるいは変形が生じてしまう事態が回避され、コンタクト１６に設けられた一対の相互対向屈曲部３１が、ケーブル１４の導電芯線１９を確実に挟持することになる。さらに、一対の相互対向屈曲部３１によるケーブル１４の導電芯線１９に対する挟持は、コンタクト１６における交差部２８を成す部分とそれに連なる傾斜部２９を成す部分との二箇所におけるかしめがなされて行われるので、極めて堅固に行われ、一対の相互対向屈曲部３１により挟持されたケーブル１４の導電芯線１９に、一対の相互対向屈曲部３１から離隔させようとする外力が作用しても、それにより一対の相互対向屈曲部３１が変位あるいは変形を生じてしまう虞やケーブル１４の導電芯線１９が一対の相互対向屈曲部３１から離脱してしまう虞が著しく低減される。
【００４８】
なお、上述のようにして、複数のケーブル１４の導電芯線１９が複数のコンタクト１６に夫々電気的に接続されるとともに、複数のケーブル１５の導電芯線２０が複数のコンタクト１８に夫々電気的に接続された後、複数のコンタクト１６及び複数のコンタクト１８が設けられた絶縁ハウジング１１に、その内部を覆う導電性シェル１２が装着されて、ケーブルコネクタ１０が図２に示される状態とされる。
【００４９】
図１３から図１８までの夫々は、上述の複数のコンタクト１６の各々についての変形例を部分的に示す。
【００５０】
図１３に示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、交差部２８が基準面部２７に対する屈曲部分として基準面部２７に連なり、傾斜部２９が交差部２８に対する屈曲部分として交差部２８に連なって基準面部２７に向かう方向に伸び、傾斜部２９の一端が基準面部２７に近接もしくは当接するという関係におかれたものとして有しており、それにより、基準面部２７の一部，交差部２８及び傾斜部２９によって、断面形状が三角形状とされる筒状部が形成されている。そして、交差部２８と傾斜部２９との両者に亙る部分に溝部３０を形成する一対の相互対向屈曲部３１が設けられている。
【００５１】
図１４に示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、交差部２８が基準面部２７に対する屈曲部分として基準面部２７に連なり、傾斜部２９が交差部２８に対する屈曲部分として交差部２８に連なって基準面部２７から離隔する方向に伸び、傾斜部２９の一端に設けられて基準面２６内に配される屈曲平面部４０が基準面部２７から離隔する方向に伸びるという関係におかれたものとして有しており、それにより、交差部２８及び傾斜部２９によって、断面形状がＶ字状とされる溝形成部が形成されている。斯かる断面形状がＶ字状とされる溝形成部も、図１３に示されるコンタクト１６の変形例における断面形状が三角形状とされる筒状部と同等の役割を果たす。そして、交差部２８と傾斜部２９との両者に亙る部分に溝部３０を形成する一対の相互対向屈曲部３１が設けられている。
【００５２】
図１５に示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、交差部２８が基準面部２７に対する屈曲部分として基準面部２７に連なり、傾斜部２９が交差部２８に対する屈曲部分として交差部２８に連なって基準面部２７から離隔する方向に伸び、傾斜部２９の一端に設けられて基準面２６内に配される屈曲平面部４０が基準面部２７に向かう方向に伸びるという関係におかれたものとして有しており、それにより、交差部２８，傾斜部２９及び屈曲平面部４０によって、断面形状が三角形状とされる筒状部が形成されている。そして、交差部２８と傾斜部２９との両者に亙る部分に溝部３０を形成する一対の相互対向屈曲部３１が設けられている。
【００５３】
図１６に示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、傾斜部２９が基準面部２７に対する屈曲部分として基準面部２７に連なって基準面部２７から離隔する方向に伸び、交差部２８が傾斜部２９の一端から基準面２６に向かって伸び、交差部２８の一端に設けられて基準面２６内に配される屈曲平面部４０が基準面部２７から離隔する方向に伸びるという関係におかれたものとして有しており、それにより、交差部２８及び傾斜部２９によって、断面形状がＶ字状とされる溝形成部が形成されている。斯かる断面形状がＶ字状とされる溝形成部も、図１３に示されるコンタクト１６の変形例における断面形状が三角形状とされる筒状部と同等の役割を果たす。そして、交差部２８と傾斜部２９との両者に亙る部分に溝部３０を形成する一対の相互対向屈曲部３１が設けられている。
【００５４】
図１７に示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、傾斜部２９が基準面部２７に対する屈曲部分として基準面部２７に連なって基準面部２７から離隔する方向に伸び、交差部２８が傾斜部２９の一端から基準面２６に向かって伸び、交差部２８の一端に設けられて基準面２６内に配される屈曲平面部４０が基準面部２７に向かう方向に伸びるという関係におかれたものとして有しており、それにより、交差部２８，傾斜部２９及び屈曲平面部４０によって、断面形状が三角形状とされる筒状部が形成されている。そして、交差部２８と傾斜部２９との両者に亙る部分に溝部３０を形成する一対の相互対向屈曲部３１が設けられている。
【００５５】
図１８に示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、２個の交差部２８が交差部２８ａ及び交差部２８ｂとして設けられ、さらに、２個の傾斜部２９が傾斜部２９ａ及び傾斜部２９ｂとして設けられたものとして有している。そして、交差部２８ａが基準面部２７に対する屈曲部分として基準面部２７に連なり、傾斜部２９ａが交差部２８ａに対する屈曲部分として交差部２８ａに連なって基準面部２７に向かう方向に伸び、傾斜部２９ｂが傾斜部２９ａに対する屈曲部分として傾斜部２９ａに連なって基準面部２７から離隔する方向に伸び、交差部２８ｂが傾斜部２９ｂの一端から基準面２６に向かって伸びている。それにより、基準面部２７の一部，交差部２８ａ及び傾斜部２９ａによって、断面形状が三角形状とされる筒状部が形成されるとともに、基準面部２７の一部，傾斜部２９ｂ及び交差部２８ｂによっても、断面形状が三角形状とされる筒状部が形成されている。そして、交差部２８ａと傾斜部２９ａとの両者に亙る部分に溝部３０ａを形成する一対の相互対向屈曲部３１ａが設けられており、また、傾斜部２９ｂと交差部２８ｂとの両者に亙る部分に溝部３０ｂを形成する一対の相互対向屈曲部３１ｂが設けられている。
【００５６】
このような図１３から図１８までの夫々にその部分が示されるコンタクト１６の変形例が、図６に示される部分を有するコンタクト１６に代えてケーブルコネクタ１０に用いられる場合にあっても、図６に示される部分を有するコンタクト１６が用いられる場合と同様な作用効果が得られる。
【００５７】
上述のような複数のコンタクト１６、あるいは、例えば、図１３から図１８までの夫々にその部分が示されるその変形例を備えたケーブルコネクタ１０によれば、ケーブルコネクタ１０に備えられたコンタクト１６あるいはその変形例に対するケーブル１４の導電芯線１９の接続が、半田付け手法が用いられることなく、比較的容易な作業によって適正かつ確実に行われ、しかも、導電芯線１９がコンタクト１６あるいはその変形例により極めて堅固に保持される状態が得られることになる。
【００５８】
なお、上述のケーブルコネクタ１０にあっては、複数のコンタクト１６あるいはその変形例に夫々接続される複数の導電芯線１９を夫々有した複数のケーブル１４の各々が、同軸ケーブルとされているが、複数のケーブル１４の各々が導電芯線が絶縁被覆されて成る単芯ケーブルとされるとしても、その導電芯線のコンタクト１６あるいはその変形例との電気的接続が、上述の導電芯線１９のコンタクト１６あるいはその変形例との電気的接続の場合と同様に行われ、それにより、同様な作用効果が得られることは明らかである。
【産業上の利用可能性】
【００５９】
以上のような本発明に係るケーブルコネクタ及びケーブル接続方法は、ケーブルの導電芯線のそれに対応するコンタクトに対する接続を、半田付け手法を用いることなく、しかも、比較的簡単な作業をもって極めて確実かつ堅固に行うことができるものとして、各種のコネクタ装置あるいは電子機器の製造等に広く適用され得るものである。
【図面の簡単な説明】
【００６０】
【図１】本発明に係るケーブルコネクタの一例に備えられるコンタクトにケーブルの導電芯線が接続された状態を示す斜視図である。
【図２】本発明に係るケーブルコネクタの一例に、複数のケーブルが電気的に接続された状態を示す斜視図である。
【図３】本発明に係るケーブルコネクタの一例に対する複数のケーブルの接続過程の説明に供される斜視図である。
【図４】図３における二点鎖線により囲まれた部分IVを拡大して図示する部分斜視図である。
【図５】本発明に係るケーブルコネクタの一例に備えられるコンタクトに対するケーブルの導電芯線の接続過程の説明に供される斜視図である。
【図６】本発明に係るケーブルコネクタの一例に備えられるコンタクトの部分を示す側面図である。
【図７】本発明に係るケーブルコネクタの一例に備えられるコンタクトに対するケーブルの導電芯線の接続過程の説明に供される斜視図である。
【図８】本発明に係るケーブルコネクタの一例に備えられるコンタクトに対するケーブルの導電芯線の接続過程の説明に供される一部破断側面図である。
【図９】図８におけるＩＸ−ＩＸ断面図である。
【図１０】図８におけるＸ−Ｘ断面図である。
【図１１】本発明に係るケーブルコネクタの一例に対する複数のケーブルの接続過程の説明に供される部分側面である。
【図１２】本発明に係るケーブルコネクタの一例に対する複数のケーブルの接続過程の説明に供される部分側面である。
【図１３】本発明に係るケーブルコネクタの一例に備えられるコンタクトについての変形例の部分を示す側面図である。
【図１４】本発明に係るケーブルコネクタの一例に備えられるコンタクトについての変形例の部分を示す側面図である。
【図１５】本発明に係るケーブルコネクタの一例に備えられるコンタクトについての変形例の部分を示す側面図である。
【図１６】本発明に係るケーブルコネクタの一例に備えられるコンタクトについての変形例の部分を示す側面図である。
【図１７】本発明に係るケーブルコネクタの一例に備えられるコンタクトについての変形例の部分を示す側面図である。
【図１８】本発明に係るケーブルコネクタの一例に備えられるコンタクトについての変形例の部分を示す側面図である。
【符号の説明】
【００６１】
１０・・・ケ−ブルコネクタ，  １１・・・絶縁ハウジング，  １２・・・導電性シェル，  １３・・・透孔，  １４，１５・・・ケーブル，  １６，１８・・・コンタクト，  １７，２１・・・接着テープ，  １９，２０・・・導電芯線，  ２２・・・シールド導体，  ２３・・・接地電極板，  ２４・・・接地用端子，  ２５・・・差込固定部，  ２６・・・基準面，  ２７・・・基準面部，  ２８，２８ａ，２８ｂ・・・交差部，  ２９，２９ａ，２９ｂ・・・傾斜部，  ３０，３０ａ，３０ｂ・・・溝部，  ３１，３１ａ，３１ｂ・・・相互対向屈曲部，  ３３・・・内部絶縁材，  ３４・・・外部絶縁材，  ３５・・・押圧装置，  ３６・・・傾斜面，  ４０・・・屈曲平面部
【図１】
2008269840.tif 000003
【図２】
2008269840.tif 000004
【図３】
2008269840.tif 000005
【図４】
2008269840.tif 000006
【図５】
2008269840.tif 000007
【図６】
2008269840.tif 000008
【図７】
2008269840.tif 000009
【図８】
2008269840.tif 000010
【図９】
2008269840.tif 000011
【図１０】
2008269840.tif 000012
【図１１】
2008269840.tif 000013
【図１２】
2008269840.tif 000014
【図１３】
2008269840.tif 000015
【図１４】
2008269840.tif 000016
【図１５】
2008269840.tif 000017
【図１６】
2008269840.tif 000018
【図１７】
2008269840.tif 000019
【図１８】
2008269840.tif 000020